【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
アンテナ回路を有し、
受信信号発生回路、マイクロコンピュータ、送信信号発生回路、レベル検出回路及びＤ／Ａコンバータを有するリーダ／ライタ装置を有し、
前記アンテナ回路はアンテナ、共振容量及び可変容量素子を有し、前記アンテナ、共振容量及び可変容量素子は並列に接続され、
前記受信信号発生回路は前記アンテナ回路で受信した電圧信号を復調し、復調された電圧信号を前記マイクロコンピュータに出力し、
前記送信信号発生回路は前記マイクロコンピュータから出力された電圧信号を変調し、変調された電圧信号を前記アンテナ回路に送信し、
前記Ｄ／Ａコンバータは前記可変容量素子の容量値を変化させるための電圧信号を出力し、
前記レベル検出回路は前記アンテナ回路の出力信号を検出し、
前記アンテナ回路の出力信号の出力が最大になる動作を定期的に行う情報処理装置であって、
前記動作は、
前記送信信号発生回路から無変調信号を前記アンテナ回路に入力した状態で、前記マイクロコンピュータより前記Ｄ／Ａコンバータの出力電圧を変化させて前記可変容量素子の容量値及び前記アンテナ回路の出力信号を変化させ、
前記アンテナ回路の前記出力信号を前記レベル検出回路に入力し、
前記レベル検出回路は前記アンテナ回路の前記出力信号を前記マイクロコンピュータに出力し、
前記出力信号に基づいて前記マイクロコンピュータは前記アンテナ回路からの出力が最大になるように前記Ｄ／Ａコンバータの出力電圧を変化させて前記可変容量素子の容量値を設定することである、ことを特徴とする情報処理装置。
【請求項２】
アンテナ回路を有し、
受信信号発生回路、マイクロコンピュータ、送信信号発生回路、レベル検出回路、第１のＤ／Ａコンバータ、第２のＤ／Ａコンバータ及びマッチング回路を有するリーダ／ライタ装置を有し、
前記アンテナ回路はアンテナ、第１の共振容量、及び第１の可変容量素子を有し、前記アンテナ、共振容量及び第１の可変容量素子は並列に接続され、
前記受信信号発生回路は前記アンテナ回路で受信した電圧信号を復調し、復調された電圧信号を前記マイクロコンピュータに出力し、
前記送信信号発生回路は前記マイクロコンピュータから出力された電圧信号を変調し、変調された電圧信号を前記アンテナ回路に送信し、
前記マッチング回路は第２の共振回路、第１のコイル、第２のコイル及び第２の可変容量素子を有し、前記第２の共振回路及び前記第２の可変容量素子は並列に接続され、前記第１のコイルの一方は前記送信信号発生回路、前記受信信号発生回路及び前記レベル検出回路に接続され、他方は前記第２の共振回路、前記第２の可変容量素子及び前記第２のコイルの一方に接続され、前記第２のコイルの他方は前記第１の共振回路、前記第１の可変容量素子及び前記アンテナに接続され、
前記第１のＤ／Ａコンバータは前記第１の可変容量素子の容量値を変化させるための電圧信号を出力し、
前記第２のＤ／Ａコンバータは前記第２の可変容量素子の容量値を変化させるための電圧信号を出力し、
前記レベル検出回路は前記アンテナ回路の出力信号を検出し、
前記アンテナ回路の出力信号の出力が最大になる動作を定期的に行う情報処理装置であって、
前記動作は、
前記送信信号発生回路から無変調信号を前記アンテナ回路に入力した状態で、前記マイクロコンピュータより前記第１のＤ／Ａコンバータの出力電圧を変化させて前記第１の可変容量素子の容量値及び前記アンテナ回路の出力信号を変化させ、
前記アンテナ回路の前記出力信号を前記レベル検出回路に入力し、
前記レベル検出回路は前記アンテナ回路の前記出力信号を前記マイクロコンピュータに出力し、
前記出力信号に基づいて前記マイクロコンピュータは前記アンテナ回路からの出力が最大になるように前記第１のＤ／Ａコンバータの出力電圧を変化させて前記第１の可変容量素子の容量値を設定し、
前記送信信号発生回路から無変調信号を前記アンテナ回路に入力した状態で、前記マイクロコンピュータより前記第２のＤ／Ａコンバータの出力電圧を変化させて前記第２の可変容量素子の容量値及び前記アンテナ回路の出力信号を変化させ、
前記アンテナ回路の前記出力信号を前記レベル検出回路に入力し、
前記レベル検出回路は前記アンテナ回路の前記出力信号を前記マイクロコンピュータに出力し、
前記出力信号に基づいて前記マイクロコンピュータは前記アンテナ回路からの出力が最大になるように前記第２のＤ／Ａコンバータの出力電圧を変化させて前記第２の可変容量素子の容量値を設定することである、ことを特徴とする情報処理装置。
【請求項３】
アンテナ回路を有し、
受信信号発生回路、マイクロコンピュータ、送信信号発生回路、レベル検出回路、第１のＤ／Ａコンバータ、第２のＤ／Ａコンバータ及びマッチング回路を有するリーダ／ライタ装置を有し、
前記アンテナ回路はアンテナ、第１の共振容量、及び第１の可変容量素子を有し、前記アンテナ、共振容量及び第１の可変容量素子は並列に接続され、
前記受信信号発生回路は前記アンテナ回路で受信した電圧信号を復調し、復調された電圧信号を前記マイクロコンピュータに出力し、
前記送信信号発生回路は前記マイクロコンピュータから出力された電圧信号を変調し、変調された電圧信号を前記アンテナ回路に送信し、
前記マッチング回路は第２の共振回路、第１のコイル、第２のコイル及び第２の可変容量素子を有し、前記第２の共振回路及び前記第２の可変容量素子は並列に接続され、前記第１のコイルの一方は前記送信信号発生回路、前記受信信号発生回路及び前記レベル検出回路に接続され、他方は前記第２の共振回路、前記第２の可変容量素子及び前記第２のコイルの一方に接続され、前記第２のコイルの他方は前記第１の共振回路、前記第１の可変容量素子及び前記アンテナに接続され、
前記第１のＤ／Ａコンバータは前記第１の可変容量素子の容量値を変化させるための電圧信号を出力し、
前記第２のＤ／Ａコンバータは前記第２の可変容量素子の容量値を変化させるための電圧信号を出力し、
前記レベル検出回路は前記アンテナ回路の出力信号を検出し、
前記アンテナ回路の出力信号の出力が最大になる動作を定期的に行う情報処理装置であって、
前記動作は、
前記送信信号発生回路から無変調信号を前記アンテナ回路に入力した状態で、前記マイクロコンピュータより前記第２のＤ／Ａコンバータの出力電圧を変化させて前記第１の可変容量素子の容量値及び前記アンテナ回路の出力信号を変化させ、
前記アンテナ回路の前記出力信号を前記レベル検出回路に入力し、
前記レベル検出回路は前記アンテナ回路の前記出力信号を前記マイクロコンピュータに出力し、
前記出力信号に基づいて前記マイクロコンピュータは前記アンテナ回路からの出力が最大になるように前記第２のＤ／Ａコンバータの出力電圧を変化させて前記第２の可変容量素子の容量値を設定し、
前記送信信号発生回路から無変調信号を前記アンテナ回路に入力した状態で、前記マイクロコンピュータより前記第１のＤ／Ａコンバータの出力電圧を変化させて前記第２の可変容量素子の容量値及び前記アンテナ回路の出力信号を変化させ、
前記アンテナ回路の前記出力信号を前記レベル検出回路に入力し、
前記レベル検出回路は前記アンテナ回路の前記出力信号を前記マイクロコンピュータに出力し、
前記出力信号に基づいて前記マイクロコンピュータは前記アンテナ回路からの出力が最大になるように前記第１のＤ／Ａコンバータの出力電圧を変化させて前記第１の可変容量素子の容量値を設定することである、ことを特徴とする情報処理装置。
【請求項４】
請求項１乃至３のいずれか一において、前記レベル検出回路はダイオード、コンデンサ、及びＡ／Ｄコンバータを有することを特徴とする情報処理装置。
【請求項５】
請求項１乃至４のいずれか一において、前記可変容量素子は可変容量ダイオード、カップリングコンデンサ、及び電圧供給抵抗を有することを特徴とする情報処理装置。